(57)【要約】【課題】  不要な振動および異音の抑制を含む周波数特性並びに指向特性等の音響特性の改善と、組立の容易化や部品点数および工数の削減とを、両立させることができるリング型スピーカーを提供する。【解決手段】  本発明のリング型スピーカーは、磁気回路と、磁気回路の磁気空隙に配されるボイスコイルと、ボイスコイルが連結する円環状のリング振動板と、リング振動板の内周に配置される砲弾状イコライザーと、リング振動板の外周に配置される環状イコライザーと、砲弾状イコライザーおよび環状イコライザーを連結する複数の半径方向に延設された板状の連結アームと、を備えるリング型スピーカーであって、連結アームが、半径方向の断面形状において砲弾状イコライザーの頭頂端を通る円弧で表される第１稜線と、半径方向の断面形状において砲弾状イコライザーの底面端を通る円弧で表される第２稜線と、第１稜線および第２稜線を連結する板状部と、を備える。【選択図】  図１
2006100879.tif 000002
【特許請求の範囲】
【請求項１】
磁気回路と、該磁気回路の磁気空隙に配されるボイスコイルと、該ボイスコイルが連結する円環状のリング振動板と、該リング振動板の内周に配置される砲弾状イコライザーと、該リング振動板の外周に配置される環状イコライザーと、該砲弾状イコライザーおよび該環状イコライザーを連結する複数の半径方向に延設された板状の連結アームと、を備えるリング型スピーカーであって、
該連結アームが、
半径方向の断面形状において該砲弾状イコライザーの頭頂端を通る円弧で表される第１稜線と、
半径方向の断面形状において該砲弾状イコライザーの底面端を通る円弧で表される第２稜線と、
該第１稜線および第２稜線を連結する板状部と、
を備える、リング型スピーカー。
【請求項２】
前記連結アームの円周方向の断面形状が、
前記第１稜線を表す第１円弧と、該第１円弧の半径以上の半径を備える前記第２稜線を表す第２円弧と、前記板状部を表す曲線と、から規定される、
請求項１に記載のリング型スピーカー。
【請求項３】
前記連結アームが、円周方向の断面形状において、
前記砲弾状イコライザーから前記環状イコライザーに至るに連れて、
前記第1円弧の半径が増大する、
請求項２に記載のリング型スピーカー。
【請求項４】
半径方向の断面形状において、
前記砲弾状イコライザーの頭頂端から底面端へ至る断面形状を規定する曲線と、前記環状イコライザーの上面端から下面端へ至る断面形状を規定する曲線とが、同一の半径の円弧でそれぞれ規定され、かつ、
これら２つの円弧の中心点から規定される中線の方向が、前記ボイスコイルの振動方向と異なる、
請求項１から３のいずれかに記載のリング型スピーカー
【請求項５】
前記砲弾状イコライザーと、一端に連結孔が形成された前記連結アームとが一体に樹脂成型され、かつ、
前記環状イコライザーが、該連結アームの該連結孔に対応する連結孔を備え、
それぞれの連結孔を貫通し該連結アームと該環状イコライザーとを連結するネジを該磁気回路のネジ穴に締結することにより、
前記リング振動板の内周を該砲弾状イコライザーの底面および磁気回路が挟み込み、該リング振動板の外周を該環状イコライザーの下面および磁気回路が挟み込み、該リング振動板に連結する前記ボイスコイルを該磁気回路の磁気空隙に配する、
請求項１から４のいずれかに記載のリング型スピーカー。
【請求項６】
前記砲弾状イコライザー、前記連結アームおよび前記環状イコライザーが一体に樹脂成形された連結イコライザーが、磁気回路の連結孔に対応するネジ穴を備え、
該磁気回路の連結孔を貫通するネジを該連結イコライザーの該ネジ穴に締結することにより、
前記リング振動板の内周を該砲弾状イコライザーの底面および磁気回路が挟み込み、該リング振動板の外周を該環状イコライザーの下面および磁気回路が挟み込み、該リング振動板に連結する前記ボイスコイルが該磁気回路の磁気空隙に配される、
請求項１から４のいずれかに記載のリング型スピーカー。
【請求項７】
前記磁気回路が、
前記リング振動板の内周を固定支持する樹脂成型された内周固定支持部材と、
前記リング振動板の外周を固定支持する樹脂成型された外周固定支持部材と、
を備え、
該内周固定支持部材および該外周固定支持部材が、緩衝部材を介して前記リング振動板の内周および外周を固定支持する、
請求項５または６に記載のリング型スピーカー。
【発明の詳細な説明】
【技術分野】
【０００１】
本発明は、円環状のリング振動板を備えるリング型スピーカーに関する。
【背景技術】
【０００２】
従来のリング型スピーカーにおいては、周波数特性および指向特性等の音響特性を改善するために、円環状のリング振動板の前面にイコライザー、ホーン等を取り付けるものがある。円環状のリング振動板を備えたリング型スピーカーは、多くは高音域用のツィーターとして使用される。リング振動板は、内周を固定支持され、リング振動板の内周にリング振動板の外周直径に匹敵するような大きさの砲弾状のイコライザーを配置することにより、高音域における音響特性を改善する（特許文献１）。
【０００３】
さらに、砲弾状のイコライザーを配置する場合に、このイコライザーを円環状のリング振動板の内周を固定支持する部材として兼用するものがある（特許文献２）。また、砲弾状イコライザーを取り付ける場合に、環状のイコライザーもしくはホーンと、砲弾状イコライザーとを連結させ、リング型スピーカーの組立を容易に改善するものや、部品点数および工数を削減するものがある（特許文献３）。
【０００４】
【特許文献１】実開昭５７−１５８２８５号公報  （第２図）
【特許文献２】実開昭５７−６９３９０号公報  （第２図）
【特許文献３】実開昭５６−１１５８２号公報  （第２図）
【０００５】
しかしながら、従来技術のリング型スピーカーでは、音響特性の改善と、組立の容易化や部品点数および工数の削減とを、両立させることが困難である。具体的には、円環状のリング振動板の前面に配置する砲弾状のイコライザーおよび環状のイコライザー、等の構成により、音響特性および組立の容易性は、相互に影響を受ける。例えば、砲弾状イコライザーと環状イコライザーを連結させる場合、部品点数および組立工数を削減できるものの、連結部分を細く小さくして構造的に弱くすると、不要な振動が励起され、振動に起因する異音が発生するという問題があり、一方で、連結部分を太く大きくして構造的に強くすれば、音響特性に与える影響が大きくなる、例えば、指向特性が狭くなる、あるいは、音質が劣化するという問題があった。
【発明の開示】
【発明が解決しようとする課題】
【０００６】
本発明は、上記の従来技術が有する問題を解決するためになされたものであり、その目的は、リング型スピーカーに関し、不要な振動および異音の抑制を含む周波数特性並びに指向特性等の音響特性の改善と、組立の容易化や部品点数および工数の削減とを、両立させることができるリング型スピーカーを提供することにある。
【課題を解決するための手段】
【０００７】
本発明のリング型スピーカーは、磁気回路と、磁気回路の磁気空隙に配されるボイスコイルと、ボイスコイルが連結する円環状のリング振動板と、リング振動板の内周に配置される砲弾状イコライザーと、リング振動板の外周に配置される環状イコライザーと、砲弾状イコライザーおよび環状イコライザーを連結する複数の半径方向に延設された板状の連結アームと、を備えるリング型スピーカーであって、連結アームが、半径方向の断面形状において砲弾状イコライザーの頭頂端を通る円弧で表される第１稜線と、半径方向の断面形状において砲弾状イコライザーの底面端を通る円弧で表される第２稜線と、第１稜線および第２稜線を連結する板状部と、を備える。
【０００８】
好ましくは、本発明のリング型スピーカーは、連結アームの円周方向の断面形状が、第１稜線を表す第１円弧と、第１円弧の半径以上の半径を備える第２稜線を表す第２円弧と、板状部を表す曲線と、から規定される
【０００９】
好ましくは、本発明のリング型スピーカーは、連結アームが、円周方向の断面形状において、砲弾状イコライザーから環状イコライザーに至るに連れて、第1円弧の半径が増大する。
【００１０】
さらに好ましくは、本発明のリング型スピーカーは、半径方向の断面形状において、砲弾状イコライザーの頭頂端から底面端へ至る断面形状を規定する曲線と、環状イコライザーの上面端から下面端へ至る断面形状を規定する曲線とが、同一の半径の円弧でそれぞれ規定され、かつ、これら２つの円弧の中心点から規定される中線の方向が、ボイスコイルの振動方向と異なる。
【００１１】
さらに好ましくは、本発明のリング型スピーカーは、砲弾状イコライザーと、一端に連結孔が形成された連結アームとが一体に樹脂成型され、かつ、環状イコライザーが、連結アームの連結孔に対応する連結孔を備え、それぞれの連結孔を貫通し連結アームと環状イコライザーとを連結するネジを磁気回路のネジ穴に締結することにより、リング振動板の内周を砲弾状イコライザーの底面および磁気回路が挟み込み、リング振動板の外周を環状イコライザーの下面および磁気回路が挟み込み、リング振動板に連結するボイスコイルを磁気回路の磁気空隙に配する。
【００１２】
また、さらに好ましくは、本発明のリング型スピーカーは、砲弾状イコライザー、連結アームおよび環状イコライザーが一体に樹脂成形された連結イコライザーが、磁気回路の連結孔に対応するネジ穴を備え、磁気回路の連結孔を貫通するネジを連結イコライザーのネジ穴に締結することにより、リング振動板の内周を砲弾状イコライザーの底面および磁気回路が挟み込み、リング振動板の外周を環状イコライザーの下面および磁気回路が挟み込み、リング振動板に連結するボイスコイルが磁気回路の磁気空隙に配される。
【００１３】
また、さらに好ましくは、本発明のリング型スピーカーは、磁気回路が、リング振動板の内周を固定支持する樹脂成型された内周固定支持部材と、リング振動板の外周を固定支持する樹脂成型された外周固定支持部材と、を備え、内周固定支持部材および外周固定支持部材が、緩衝部材を介してリング振動板の内周および外周を固定支持する。
【００１４】
以下、本発明の作用について説明する。
【００１５】
本発明のリング型スピーカーは、円環状のリング振動板を備え、リング振動板の内周には砲弾状イコライザーが配置され、リング振動板の外周には環状イコライザーが配置される。砲弾状イコライザーおよび環状イコライザーは、リング型スピーカーの周波数特性並びに指向特性等の音響特性の改善のために設けられ、さらに、これらのイコライザーにおける不要な振動および異音の抑制を抑制するために、そして、組立の容易化や部品点数および工数を削減するために、砲弾状イコライザーおよび環状イコライザーを連結する複数の半径方向に延設された板状の連結アームが設けられる。
【００１６】
ここで、板状の連結アームは、振動および音響の観点から、下記に説明する条件を備える。すなわち、本発明の連結アームは、半径方向の断面形状において砲弾状イコライザーの頭頂端を通る円弧で表される第１稜線と、半径方向の断面形状において砲弾状イコライザーの底面端を通る円弧で表される第２稜線と、第１稜線および第２稜線を連結する板状部とから規定される。第１稜線と第２稜線とで規定される板状の連結アームは、砲弾状イコライザーとの連結部では砲弾状イコライザーの頭頂端から底面端に至るまで延びており、一方で、内周部から外周部に至るにつれて、連続的に細く狭くなる。好ましくは、第１稜線と第２稜線とは、中心の位置が異なる同一半径の円弧で表されるので、板状の連結アームの半径方向の断面形状は、環状イコライザーとの連結部に至るにつれて連続的に細く狭くなる。つまり、板状の連結アームの形状は、半径方向で滑らかに変化し、極端な形状の変化を生じない。その結果、複数の連結アームは、固有の振動モードが生じにくくなり、砲弾状イコライザーを強固に固定することができ、不要な振動に起因する異音の発生を低減することができる。そして、一方で、板状の連結アームが音響特性、例えば指向特性に与える影響を少なくすることもできる。
【００１７】
好ましくは、板状の連結アームは、円周方向の断面形状が、第１稜線を表す第１円弧と、第１円弧の半径以上の半径を備える第２稜線を表す第２円弧と、板状部を表す曲線と、から規定される。さらに好ましくは、砲弾状イコライザーから環状イコライザーに至るに連れて、第1円弧の半径が増大する。つまり、板状の連結アームは、砲弾状イコライザーの頭頂端に近いほど細く、外周側に、そして、リング振動板に近くなるほど断面形状における厚みが増加する。第１稜線および第２稜線は円弧であり、音響的な一方向の反射面を構成しないので、板状の連結アームの滑らかな形状の変化に伴って、音響特性に与える影響を少なくすることができる。加えて、金型加工における抜勾配の向きが、砲弾状イコライザーおよび連結アームで一致させることができるので、砲弾状イコライザーと板状の連結アームとを一体に樹脂成型する場合にも、砲弾状イコライザーと板状の連結アームとを強固に一体に構成することができる。
【００１８】
さらに、砲弾状イコライザーと環状イコライザーとは、互いに半径方向の断面形状において、下記の関係となることが好ましい。つまり、砲弾状イコライザーの頭頂端から底面端へ至る断面形状を規定する曲線と、環状イコライザーの上面端から下面端へ至る断面形状を規定する曲線とが、同一の半径の円弧でそれぞれ規定され、かつ、これら２つの円弧の中心点から規定される中線の方向が、ボイスコイルの振動方向と異なる。つまり、中線の方向は半径方向の内周側から外周側に傾くことになる。したがって、砲弾状と環状のイコライザーを備え、さらに板状の連結アームを備えるにもかかわらず、本発明のリング型スピーカーは、より広い指向特性を実現することができる。
【００１９】
また、好ましくは、砲弾状イコライザーは、一端に連結孔が形成された連結アームを一体に樹脂成型され、かつ、環状イコライザーが、連結アームの連結孔に対応する連結孔を備える。つまり、一体に樹脂成型された砲弾状イコライザーと連結アームは、連結部材であるネジによって、環状イコライザーと、磁気回路と連結される。ネジは、連結アームおよび環状イコライザーの連結孔を貫通し、磁気回路のネジ穴に螺合する。その結果、リング振動板の内周を砲弾状イコライザーの底面および磁気回路が挟み込み、リング振動板の外周を環状イコライザーの下面および磁気回路が挟み込む。リング振動板に連結するボイスコイルは磁気回路の磁気空隙に配されるとともに、リング振動板はその内周および外周を強固に固定される。したがって、不要な振動および異音の抑制を図ることができ、同時に、組立の容易化と部品点数および工数の削減とが実現される。
【００２０】
また、好ましくは、砲弾状イコライザーおよび連結アームおよび環状イコライザーが一体に樹脂成形された連結イコライザーが、磁気回路の連結孔に対応するネジ穴を備え、連結イコライザーと磁気回路とを連結する連結部材が、ネジ穴と螺合するネジであり、連結孔を貫通するネジをネジ穴に締結することにより、リング振動板の内周を砲弾状イコライザーの底面および磁気回路が挟み込み、リング振動板の外周を環状イコライザーの下面および磁気回路が挟み込み、リング振動板に連結するボイスコイルが磁気回路の磁気空隙に配される。したがって、リング振動板に連結するボイスコイルは磁気回路の磁気空隙に配されるとともに、リング振動板はその内周および外周を強固に固定される。連結アームによって一体に樹脂成形されているので、不要な振動および異音の抑制を図ることができ、同時に、さらなる組立の容易化と部品点数および工数の削減とが実現される。
【００２１】
また、さらに好ましくは、磁気回路が、リング振動板の内周を固定支持する樹脂成型された内周固定支持部材と、リング振動板の外周を固定支持する樹脂成型された外周固定支持部材と、を備える。内周固定支持部材および外周固定支持部材は、緩衝部材を介してリング振動板の内周および外周を固定支持する。例えば、綿織布、発泡ウレタン、発泡ゴム、フェルト、等の緩衝部材によって、リング振動板で発生する振動が吸収され、砲弾状イコライザーの底面もしくは環状イコライザーの下面に伝搬しにくくなるので、リング型スピーカーは不要な振動に起因する異音の発生を低減することができる。
【発明の効果】
【００２２】
本発明のリング型スピーカーは、不要な振動および異音の抑制を含む周波数特性並びに指向特性等の音響特性の改善を図ることができ、さらに、組立の容易化や部品点数および工数の削減をも、両立させることができる。
【発明を実施するための最良の形態】
【００２３】
本発明のリング型スピーカーは、磁気回路と、磁気回路の磁気空隙に配されるボイスコイルと、ボイスコイルが連結する円環状のリング振動板と、リング振動板の内周に配置される砲弾状イコライザーと、リング振動板の外周に配置される環状イコライザーと、砲弾状イコライザーおよび環状イコライザーを連結する複数の半径方向に延設された板状の連結アームと、を備え、連結アームが、半径方向の断面形状において砲弾状イコライザーの頭頂端を通る円弧で表される第１稜線と、半径方向の断面形状において砲弾状イコライザーの底面端を通る円弧で表される第２稜線と、第１稜線および第２稜線を連結する板状部と、を備えるようにすることにより、実現した。
【００２４】
以下、本発明の好ましい実施形態によるリング型スピーカーについて説明するが、本発明はこれらの実施形態には限定されない。
【実施例１】
【００２５】
図１は、本発明の好ましい実施形態によるリング型スピーカー１について説明する図であり、図１（ａ）は正面図、図１（ｂ）はＳｅｃ．Ｂ−Ｏ−Ａの断面図である。さらに、図２（ａ）は、Ｓｅｃ．Ｂ−Ｏについての部分拡大断面図であり、図２（ｂ）は、Ｓｅｃ．Ｏ−Ａについての部分拡大断面図である。リング型スピーカー１は、リング振動板２を備える高音域再生用のツィーターであり、リング振動板２の内周側には砲弾状イコライザー１１が、リング振動板２の外周側には環状イコライザー１２が配置される。
【００２６】
リング型スピーカー１は、ヨーク４と、プレート５と、メインマグネット６と、サブマグネット７とから構成される磁気回路を備え、ヨーク４とプレート５から規定される磁気空隙には、リング振動板２と連結するボイスコイル３が配置される。ボイスコイル３に電流が印加されると、リング振動板２が振動し、音波が放射される。具体的には、リング振動板２は、例えば、アクリル、ウレタン等の樹脂コートを施した合成繊維の織布をウレタンフィルムでラミネートしたものを基材とする固定支持される内周と外周を備えるリング状振動板であり、その断面は２つの凸状のロールが連結した形状であり、リング中央のロールの連結部にボイスコイルが巻回されたボビンが連結する。リング振動板２は、樹脂成型された内周固定支持部材９および外周固定支持部材１０により、内周および外周を固定支持される。具体的には、リング振動板２の内周を、緩衝部材の綿織布（フェルト）２１を介して砲弾状イコライザー１１の底面および内周固定支持部材９が挟み込み、リング振動板２の外周を、緩衝部材の綿織布２２を介して環状イコライザー１２の下面および外周固定支持部材１０が挟み込んでいる。
【００２７】
なお、ヨーク４は中央に貫通孔を備え、この貫通孔は磁気回路のカバー８とともにキャビティを規定する。内周固定支持部材９は、リング振動板２の内周背面側の空気が、ヨーク４およびカバー８のキャビティと通気する貫通孔を備える。磁気回路のカバー８は、磁気回路で発生する振動に起因する余計な音を生じないように、好ましくは厚みをもった強固な形状に樹脂成形されて、ヨーク４のアンダープレートの外周部分に取り付けられる。
【００２８】
図３は、砲弾状イコライザー１１について説明する図であり、図３（ａ）は正面図、図３（ｂ）は側面図、図３（ｃ）は側面図における連結アームの円周方向の断面ｃ１〜ｃ５を表す断面図である。砲弾状イコライザー１１は、砲弾形状の砲弾部１１０と、４本の板状の連結アーム１１１とが一体に樹脂成形されており、連結アーム１１１の端部には、ネジ１３により環状イコライザー１２ならびに磁気回路のプレート５と連結する貫通孔１１２が設けられている。砲弾部１１０は、頭頂端Ｏから底面端Ｃに至る砲弾形状を有し、その断面形状は、図２（ａ）の部分拡大断面図に一部が示される曲線１１３により規定される。連結アーム１１１は、半径方向の断面形状が砲弾部１１０の頭頂端Ｏを通る円弧で表される第１稜線１１４と、半径方向の断面形状が砲弾部１１０の底面端Ｃを通る第１稜線と同一半径の円弧で表される第２稜線１１５と、第１稜線１１４および第２稜線１１５を連結する板状部１１６とから規定される。
【００２９】
板状の連結アーム１１１の形状は、半径方向で滑らかに変化する。板状の連結アーム１１１は、砲弾部１１０との連結する部分では砲弾部１１０の頭頂端Ｏから底面端Ｃに至るまで延びており、一方で、内周側から外周側に至るにつれて、第１稜線１１４と第２稜線１１５とで規定される半径方向の断面形状が連続的に狭くなる。第１稜線１１４と第２稜線１１５とは、中心の位置が異なる同一半径ｒａの円弧で表され、断面図から明らかなように、環状イコライザー１２との連結部に至るにつれて、半径方向の断面形状は連続的に狭くなる。複数の連結アームは、それぞれの第１稜線が、砲弾部１１０の頭頂端Ｏで一致する。
【００３０】
また、板状の連結アーム１１１は、円周方向の断面形状が、図３（ｃ）の断面図ｃ１〜ｃ５に示すように、第１稜線１１４を表す第１円弧１１７と、第１円弧の半径ｒｃ以上の半径ｒｄを備える第２稜線１１５を表す第２円弧１１８と、板状部１１６を表す曲線１１９および１２０と、から規定される。曲線１１９もしくは曲線１２０は、第１円弧１１７の一端と第２円弧１１８の一端とを結ぶ曲線であり、円弧でもよく、直線を含む。加えて、連結アーム１１１は、砲弾部１１０から連結孔１１２に至るに連れて、第１円弧１１７の半径ｒｃが増大する。第２円弧１１８の半径ｒｄは、第１円弧１１７の半径ｒｃ以上の値であるので、板状の連結アーム１１１は、砲弾部１１０の頭頂端Ｏに近いほど細く、外周側に、そして、リング振動板２に近くなるほど断面形状における厚みが増加する。連結アーム１１１の円周方向の断面形状は、半径方向におけるリング振動板２の内周および外周の範囲内において、つまり、リング振動板２の振動部分の正面方向において、上記の関係にあればよい。
【００３１】
第１円弧１１７の半径ｒｃと第２円弧１１８の半径ｒｄとは、極端に大きな差を設ける必要はなく、金型加工における抜勾配の向きを規定する程度の寸法差でよい。抜き勾配の向きは、砲弾部１１０の抜き勾配の向きと一致し、金型の上型と下型との分離線（パーティングライン）を、砲弾状イコライザー１１および連結アーム１１１の底に近いところに設けることができ、一体成型する砲弾状イコライザー１１および連結アーム１１１の製造コストが削減される。
【００３２】
複数の連結アーム１１１は、砲弾部１１０と一体に樹脂成型されて砲弾状イコライザー１１を構成する。ネジ１３によって、砲弾状イコライザー１１の貫通孔１１２および環状イコライザー１２ならびに磁気回路のプレート５を連結させれば、砲弾状イコライザー１１を強固に固定できる。このとき、リング振動板２の内周および外周が同時に固定支持されるので、リング型スピーカー１の組立が完了する。複数の連結アーム１１１によって、砲弾状イコライザー１１および環状イコライザー１２が強固に連結され、リング型スピーカー１の表面に露出するイコライザーの不要な振動に起因する異音の発生を低減することができる。
【００３３】
図４は、砲弾状イコライザー１１の振動特性を説明する図である。図４（ａ）はリング型スピーカー１の正面図、図４（ｂ）は砲弾状イコライザー１１の点Ｘにおける振動加速度特性を表す周波数特性図である。実線（ｉ）の特性は、本発明の実施例であって、砲弾状イコライザー１１および環状イコライザー１２が強固に複数の連結アーム１１１によって連結されている場合である。また、破線（ｉｉ）の特性は、比較例であって、砲弾状イコライザー１１および環状イコライザー１２を連結する連結アームを備えない場合である。一部を除くほぼ全帯域において、本発明の実施例のように板状の連結アーム１１１を設けることで、砲弾状イコライザー１１の点Ｘにおける振動加速度は低くなる。したがって、イコライザーの不要な振動に起因する異音も低減することができ、音質の改善されたリング型スピーカーが実現される。
【００３４】
また、好ましい実施形態においては、リング振動板２の内周を、緩衝部材２１を介して砲弾状イコライザー１１の底面および内周固定支持部材９が挟み込み、リング振動板２の外周を、緩衝部材２２を介して環状イコライザー１２の下面および外周固定支持部材１０が挟み込む。本発明の実施例では、緩衝部材として綿織布（フェルト）を用いたが、好ましくは発泡ウレタンでもよく、他に発泡ゴムでもよい。リング型スピーカー１は不要な振動に起因する異音の発生を低減することができる。
【００３５】
そして、一方で、リング型スピーカー１では、板状の連結アーム１１１が音響特性、例えば指向特性に与える影響を最小限にすることができる。連結アーム１１１の円周方向の断面の形状は、第１円弧１１７および第２円弧１１８で表される円弧により規定され、音響的な一方向の反射面を構成しない。また、板状の連結アーム１１１の半径方向の断面の形状は、滑らかに変化する。滑らかな形状の変化に伴って、板状の連結アーム１１１の半径方向単位長さあたりの体積は、内周側から外周側にいたるにつれて次第に小さくなる。したがって、指向特性での測定方向の角度が広い場合においても、連結アーム１１１が音響特性に与える影響が少なくなり、例えば、指向特性を広くすることができ、あるいは、音質の劣化が防止される。
【００３６】
本実施例において、環状イコライザー１２は、砲弾状イコライザー１１よりも高さが低く、言い換えれば、環状イコライザー１２の上面端から下面端への厚みが薄い。環状イコライザー１２の上面端から下面端へ至る断面形状を規定する曲線１２３は、砲弾部１１０の頭頂端Ｏから底面端Ｃへ至る断面形状を規定する曲線１１３と同一の半径ｒｂの円弧で規定される。なお、図２（ａ）および（ｂ）は部分拡大断面図であるので、円弧１２３の中心点と、円弧１１３の中心点は記載されておらず、これら２つの円弧の中心点から規定される中線Ｌは、円弧１２３の中心点と円弧１１３の中心点とを結ぶ線分の垂直二等分線である。中線Ｌは、その方向が、垂直軸方向Ｚに等しいボイスコイル３の振動方向と異なり、その結果、中線Ｌの方向は半径方向の内周側から外周側に傾いている。なお、曲線１１３と曲線１２３は、相互に中線Ｌに対して線対称の位置関係になる範囲内において同一の半径の円弧であればよい。
【００３７】
図５は、リング型スピーカー１の指向特性を説明する図である。図５（ａ）は本実施例１の連結アーム１１１を備えるリング型スピーカー１の指向特性パターン、図５（ｂ）は比較例の連結アームを備えず、さらに、ボイスコイル３の振動方向に対して、砲弾部１１０の頭頂端Ｏから底面端Ｃへ至る断面形状を規定する曲線１１３と、環状イコライザー１２の上面端から下面端へ至る断面形状を規定する曲線１２１とが、線対称な場合のリング型スピーカーの指向特性パターンである。周波数は、１９．９５ｋＨｚで共通する。比較例では、正面０°方向および約４５°方向に生じる指向性ビームの間（約３０°方向）に深いディップが生じるが、本実施例１の連結アーム１１１を備える場合には、そのような深いディップができず、広い指向特性を実現している。したがって、砲弾状イコライザー１１と環状イコライザー１２とを備え、さらに板状の連結アーム１１１を備えるにもかかわらず、本発明のリング型スピーカー１は、より広い指向特性を実現することができる。
【００３８】
同時に、本実施例のリング型スピーカー１は、組立の容易化と部品点数および工数の削減とが実現される。砲弾状イコライザー１１と連結アーム１１１が一体化され、加えて、リング振動板２は、樹脂成型された内周固定支持部材９および外周固定支持部材１０により内周および外周を固定支持されるので、リング型スピーカー１を組み立てるにあたって、ネジ１３を連結することでリング振動板２を固定でき、接着剤を使用することがない。ボイスコイル３が断線した場合などでも、接着剤を使用すればほとんど修理は不可能であるが、リング振動板２およびボイスコイル３、必要に応じて内周固定支持部材９もしくは外周固定支持部材１０を交換するだけでよいという利点がある。
【００３９】
さらに、組立の容易化のために、砲弾状イコライザー１１と内周固定支持部材９には、互いに嵌合する軸部１２１および軸受部９１を設けておけばよい。さらに、リング振動板２の内周部に軸部１２１もしくは軸受部９１に対応する貫通孔を設けておけば、リング型スピーカー１を組み立てる際に、砲弾状イコライザー１１の軸部１２１もしくは内周固定支持部材９の軸受部９１がガイドになり、容易にリング振動板２を配置できる。したがって、工数の削減が実現される。
【００４０】
本発明において、複数の連結アーム１１１は、４本である場合に限られない。砲弾状イコライザー１１を強固に固定するのに足りる本数であればよい。また、砲弾状イコライザー１１および連結アーム１１１は、樹脂による一体成型に限られない。アルミ等の金属を鋳型に注入することにより一体に成型してもよい。また、リング振動板２は、平面振動板でもよい。内周と外周を固定されるリング振動板であればよく、振動板形状に限定されない。
【実施例２】
【００４１】
図６は、本発明の他の好ましい実施形態によるリング型スピーカー６１について説明する図である。図６（ａ）は正面図、図６（ｂ）はＳｅｃ．Ｂ−Ｏ−Ａの断面図である。なお、図６において、図１で説明した実施例１と共通する部分の説明は、省略する。
【００４２】
リング型スピーカー６１は、リング振動板２を備える高音域再生用のツィーターであり、リング振動板２の内周側には砲弾状イコライザー１１が、リング振動板２の外周側には環状イコライザー１２が配置される。ここで、４本の板状の連結アーム１１１は、砲弾状イコライザー１１および環状イコライザー１２と一体に樹脂成形されており、砲弾状イコライザー１１と環状イコライザー１２とを連結している。つまり、砲弾状イコライザー、連結アームおよび環状イコライザーが一体に樹脂成形された連結イコライザー６２が形成されている。
【００４３】
連結イコライザー６２は、砲弾状イコライザー１１の底面側に磁気回路の連結孔に対応するネジ穴を備える。ネジ６３は、１本で、連結イコライザー６２と、磁気回路と、磁気回路のカバー８とを連結する。具体的には、磁気回路は、ヨーク４と、内周側に貫通孔を備えるプレート５と、マグネット６から構成される内磁型磁気回路であり、プレート５の内周側貫通孔には樹脂成型された内周固定支持部材９が、ヨーク４の外周部には外周固定支持部材１０が取り付けられている。ネジ６３は、磁気回路の内周固定支持部材９の軸受部と、磁気回路のカバー８に設けられた連結孔を貫通して連結イコライザー６２のネジ穴に螺合し、連結イコライザー６２と磁気回路および磁気回路のカバー８を締結する。なお、外周固定支持部材１０は、端子板を兼用している。
【００４４】
その結果、リング振動板２の内周を砲弾状イコライザー１１の底面および磁気回路に取り付けられた内周固定支持部材９が挟み込み、リング振動板２の外周を環状イコライザー１２の下面および磁気回路に取り付けられた外周固定支持部材１０が挟み込み、リング振動板２に連結するボイスコイル３が磁気回路の磁気空隙に配される。リング振動板２に連結するボイスコイル３が磁気回路の磁気空隙に配されるとともに、リング振動板２はその内周および外周を強固に固定される。
【００４５】
リング型スピーカー６１は、連結アーム１１１によって砲弾状イコライザー１１および環状イコライザー１２が一体に樹脂成形された連結イコライザー６２を備えているので、不要な振動および異音が抑制される。また、連結イコライザー６２と磁気回路とを連結するネジ６３は、１本で十分であるため、さらなる組立の容易化と部品点数および工数の削減とが実現される。もちろん、連結イコライザー６２と磁気回路とを連結するネジは複数であってもよい。
【００４６】
また、本実施例２の連結イコライザー６２は、その半径方向の断面形状において、環状イコライザー１２の高さが砲弾状イコライザー１１の高さよりも低い。環状イコライザー１２の上面端から下面端への高さは、砲弾状イコライザー１１の高さよりも低くてもよく、好ましくは、砲弾状イコライザー１１の高さと同等でよい。環状イコライザー１２の上面端から下面端へ至る断面形状を規定する曲線１２３が、砲弾部１１０の頭頂端Ｏから底面端Ｃへ至る断面形状を規定する曲線１１３と同一の半径の円弧で規定されていればよく、さらに、これら２つの円弧の中心点から規定される中線Ｌの方向が、ボイスコイル３の振動方向Ｚと異なり、その結果、中線Ｌの方向は半径方向の内周側から外周側に傾いていればよい。本発明のリング型スピーカーは、広い指向特性を実現することができる。
【産業上の利用可能性】
【００４７】
本発明のリング型スピーカーは、高音域再生用のツィーターに限られず、フルレンジスピーカーや、中低音域再生用の他のスピーカーにも適用が可能である。リング振動板の内周側には砲弾状イコライザーが、リング振動板の外周側には環状イコライザーが配置され、これらを連結する連結アームを供えるスピーカーに適する。
【図面の簡単な説明】
【００４８】
【図１】本発明の好ましい実施形態によるリング型スピーカーについて説明する図である。（実施例１）
【図２】本発明の好ましい実施形態によるリング型スピーカーについて説明する図である。（実施例１）
【図３】本発明の好ましい実施形態による砲弾状イコライザーについて説明する図である。（実施例１）
【図４】本発明の好ましい実施形態による砲弾状イコライザーの振動特性について説明する図である。（実施例１）
【図５】本発明の好ましい実施形態によるリング型スピーカーの指向特性について説明する図である。（実施例１）
【図６】本発明の他の好ましい実施形態によるリング型スピーカーについて説明する図である。（実施例２）
【符号の説明】
【００４９】
１            リング型スピーカー
２            リング振動板
３            ボイスコイル
４            ヨーク
５            プレート
６            メインマグネット
７            サブマグネット
８            カバー
９            内周固定支持部材
９１          軸受部
１０          外周固定支持部材
１１          砲弾状イコライザー
１２          環状イコライザー
１１１        連結アーム
１１２        貫通孔
１１４        第１稜線
１１５        第２稜線
１１６        板状部
１１７        第１円弧
１１８        第２円弧
１２１        軸部
６１          リング型スピーカー
６２          連結イコライザー
【図１】
2006100879.tif 000003
【図２】
2006100879.tif 000004
【図３】
2006100879.tif 000005
【図４】
2006100879.tif 000006
【図５】
2006100879.tif 000007
【図６】
2006100879.tif 000008